(57)【特許請求の範囲】
【請求項１】
左右に列設された複数の遊技媒体使用機に遊技媒体を補給する遊技媒体補給装置であって、搬送路と上記搬送路の両側に立設された側壁を備え、上記遊技媒体を左又は右方向に搬送可能な補給ラインと、上記側壁に形成される排出口と、上記搬送路上を搬送される上記遊技媒体を上記排出口に案内する分配装置と、上記排出口から排出された上記遊技媒体を受け入れ、配管を介して上記遊技媒体使用機に上記遊技媒体を供給する補給シュートと、を備え、
上記分配装置は、上記搬送路の上方に配置される基片と、上記基片の両端から下方に設けられると共に上記側壁の外面に着脱可能に係止される一対の脚片と、を備えるケースと、
上記搬送路を斜めに塞き止める遮蔽板を一端に備えるフラップと、
上記脚片に設けられ、上記補給ラインの上方に配置された軸受部で支承され、上記軸受部よりも上記補給ラインの上流側に配置された上記フラップの他端を上下方向に回動自在に軸支する軸と、
上記フラップの一端を、重力に抗って常時上方に付勢する付勢手段と、
上記付勢手段の上方への付勢力に抗って、制御部の制御を受け上記フラップの一端を降下させ、上記搬送路を上記遮蔽板により斜めに塞き止める駆動部と、を備え、
上記駆動部は、通電に伴い作動体を下方へ引き下げるソレノイドであり、
上記ソレノイドは、上記脚片に取り付けられており、
上記ソレノイドの作動体に一端が連結され他端が上記フラップに連結される連結部材を備え、
上記付勢手段はバネ材であって、上記バネ材は一端が上記ケースに連結され他端が上記連結部材に連結されている、ことを特徴とする遊技媒体補給装置。
【請求項２】
請求項１記載の遊技媒体補給装置において、
上記分配装置の脚片は、上記補給ラインの上記側壁の外面に着脱可能に係止する、ことを特徴とする遊技媒体補給装置。
【発明の詳細な説明】
【技術分野】
【０００１】
本発明は、遊技機島において遊技媒体使用機に遊技媒体を補給する遊技媒体補給装置に関する。
【背景技術】
【０００２】
遊技ホールは、所定のエリアにスロットマシンやコインゲーム機などメダルを投入して遊技する遊技機を横並びに配列した遊技機島を備えている。通常、スロットマシンには、メダル貸出機が隣接して配設され、投入された貨幣の額に応じたメダルが払い出される。メダル貸出機から払い出されたメダルをスロットマシンに投入すると遊技が開始され、遊技の結果、複数列のリールの図柄が予め入賞設定された組み合わせとなったときに、相応する枚数のメダルが配当として支払われる仕組みとなっている。したがって、遊技を継続するためには、スロットマシンには入賞用のメダルを、メダル貸出機には貸出し用のメダルを順次補給する必要がある。
【０００３】
このようなスロットマシンやメダル貸出機のメダルの要求に対応してメダルを補給する手段として遊技機島の内部でメダルを補給、回収する遊技媒体循環システムがある。遊技媒体循環システムの一例としては、ベルトコンベアで構成されるライン上を搬送されてきたメダルをライン上の分配位置に備えられたメダルの分配装置により補給シュートに落下させ、補給シュートに接続された配管を介してスロットマシンやメダル貸出機にメダルを補給するものがある。
【０００４】
このライン上のメダルを分配する分配装置として、下方が開放された枠状からなり、先端が斜めに形成されたバーを後部に上下動自在に軸支し、バーに支持棒を取り付けて切欠部に合わせて形成した小穴から突出させ、突出した支持棒を下方から押し上げる上下動自在の駆動部を設けるゲート装置が開示されている（特許文献１）。
【０００５】
特許文献１に記載のものは、メダル搬送コンベヤでメダルを搬送し、センサの反応に応じて、メダル補給制御部がゲート装置の駆動部を下方へ動かしてバーを自重で降下させ、その先端がメダル搬送コンベヤのコンベヤベルトに着地して斜めに塞き止め、メダルがバーの先端に当たって開口部に誘導されてシュートへ取り込まれる。
【先行技術文献】
【特許文献】
【０００６】
【特許文献１】特許４５４０５８４号公報
【発明の概要】
【発明が解決しようとする課題】
【０００７】
しかし、特許文献１に記載のものは、駆動部を動かして支持棒への支持を解除することによりバーが自重で降下するものである。この点、バーを自重で降下させるのみでは、コンベヤベルトに着地して斜めに塞き止めているバーの先端部が、メダルやベルトコンベアとの衝突に起因して跳ね上がったり又は持ち上がったりするため、コンベヤベルトとバーの先端部との間に隙間を生じさせてメダルを通過させてしまう虞がある。このため、メダルの案内を正確に行うことができず、メダル補給制御部が予定するメダル数を遊技媒体使用機に補給できない虞がある。
【０００８】
本発明はこのような事情の下になされたものであり、その目的は遊技媒体使用機に遊技媒体を正確に補給することができる遊技媒体補給装置を提供することにある。
【課題を解決するための手段】
【０００９】
上記課題を解決するために、本発明に係る遊技媒体補給装置は、左右に列設された複数の遊技媒体使用機に遊技媒体を補給する遊技媒体補給装置であって、搬送路と上記搬送路の両側に立設された側壁を備え、上記遊技媒体を左又は右方向に搬送可能な補給ラインと、上記側壁に形成される排出口と、上記搬送路上を搬送される上記遊技媒体を上記排出口に案内する分配装置と、上記排出口から排出された上記遊技媒体を受け入れ、配管を介して上記遊技媒体使用機に上記遊技媒体を供給する補給シュートと、を備え、  上記分配装置は、上記搬送路の上方に配置される基片と、上記基片の両端から下方に設けられると共に上記側壁の外面に着脱可能に係止される一対の脚片と、を備えるケースと、  上記搬送路を斜めに塞き止める遮蔽板を一端に備えるフラップと、  上記脚片に設けられ、上記補給ラインの上方に配置された軸受部で支承され、上記軸受部よりも上記補給ラインの上流側に配置された上記フラップの他端を上下方向に回動自在に軸支する軸と、  上記フラップの一端を、重力に抗って常時上方に付勢する付勢手段と、  上記付勢手段の上方への付勢力に抗って、制御部の制御を受け上記フラップの一端を降下させ、上記搬送路を上記遮蔽板により斜めに塞き止める駆動部と、を備え、 上記駆動部は、通電に伴い作動体を下方へ引き下げるソレノイドであり、 上記ソレノイドは、上記脚片に取り付けられており、 上記ソレノイドの作動体に一端が連結され他端が上記フラップに連結される連結部材を備え、 上記付勢手段はバネ材であって、上記バネ材は一端が上記ケースに連結され他端が上記連結部材に連結されている、ことを特徴とする（請求項１）。
【００１０】
このように構成することによって、分配装置は、フラップの一端が降下して搬送路を遮蔽板により斜めに塞き止める際に、駆動部がフラップの一端に対し降下させる方向の力を加えているため、遮蔽板が遊技媒体や搬送路との衝突に起因して跳ね上がったり又は持ち上がったりして搬送面と遮蔽板との間に隙間を生じさることがなく、搬送される全ての遊技媒体を正確に排出口に案内をすることができる。
【００１１】
この場合、上記分配装置の脚片は、上記補給ラインの上記側壁の外面に着脱可能に係止する方がよい（請求項２）。
【発明の効果】
【００１６】
本発明の遊技媒体補給装置によれば、上記のように構成されており、分配装置は搬送される全ての遊技媒体を正確に排出口に案内をすることができるので、遊技媒体使用機に遊技媒体を正確に補給することができる。
【図面の簡単な説明】
【００１７】
【図１】この発明に係る遊技媒体補給装置を備える遊技機島の一部を示す正面図である。
【図２】上記遊技機島を構成する遊技媒体補給装置の概略全体構成図である。
【図３】上記遊技媒体補給装置を構成する補給ライン付近を示す斜視図である。
【図４】この発明に係る遊技媒体補給装置の一部を切り欠いた斜視図である。
【図５】上記遊技媒体補給装置を構成する補給ラインの分解斜視図である。
【図６】この発明における分配装置の取付状態を説明する分解斜視図である。
【図７】この発明における分配装置の正面図（ａ），図７（ａ）のＢ部のケースのみを抽出した概略拡大図（ｂ）である。
【図８】この発明における分配装置の正面側のフラップを降下した状態を示す正面図である。
【図９】この発明における分配装置の一部を切り欠いた左側面図である。
【図１０】図７（ａ）のＡ線に沿う断面図である。
【図１１】図７（ａ）におけるＢ部概略拡大図（ａ），図８におけるＣ部概略拡大図（ｂ）である。
【図１２】図９におけるＤ部概略拡大図である。
【発明を実施するための形態】
【００１８】
以下、本発明に係る遊技媒体補給装置４について、図面を参照して説明する。ここでは、この発明に係る遊技媒体補給装置４を遊技ホールにおける遊技機島１に適用した場合について説明する。
【００１９】
図１に示すように、遊技機島１は、遊技媒体使用機であるスロットマシン２と、スロットマシン２に併設され遊技媒体例えばメダルの払い出しを行なうメダル貸出機３（遊技媒体使用機）とが左右に複数列設され、それらを背中合わせにして連設した両面形式で構成されている。そして、遊技機島１のスロットマシン２に挟まれた内部の中央付近には、遊技機島１の長手方向に沿って遊技媒体補給装置４が組み込まれている。
【００２０】
遊技媒体補給装置４は、スロットマシン２に入賞用のメダルを、メダル貸出機３に貸出し用のメダルを補充するための装置であり、図２に示すように、遊技機島１の上部に配置され、蛇腹管４０を介してスロットマシン２又はメダル貸出機３に連結された補給シュート２０にメダルをコンベアで搬送する補給ライン１０と、遊技機島１の下部に配置されスロットマシン２やメダル貸出機３から排出されるメダル及び連絡路５を介して落下したメダルを受け入れてベルトコンベアで搬送する回収ライン６と、を備える。また、回収ライン６により回収されたメダルを貯留する貯留タンク（図示せず）や貯留タンクに貯留されたメダルを補給ライン１０上に揚送するリフタ装置（図示せず）、遊技媒体補給装置４全体の動作制御を行う制御部１００、その他メダル洗浄機・脱水機などを収納して遊技機島１の端に備えられた収納ボックス７と、を備える。
【００２１】
この場合、図２に示す制御部１００は、例えば、ＣＰＵ等のマイクロプロセッサとその周辺回路を有する演算処理部を備えたコンピュータにより構成され、遊技媒体補給装置４を構成する各装置と電気的に接続して、所定プログラムの実行によりそれら装置の動作制御を行うものである。具体的には、制御部１００は、スロットマシン２又はメダル貸出機３からのメダル補給要求の有無に応じて、リフタ装置におけるメダル揚送動作、補給ライン１０によるメダル搬送動作、及び、分配装置３０のソレノイド３４の作動体３４ａの下降動作等を制御する。
【００２２】
補給ライン１０は、図３〜５で示すように、メダルを搬送するための搬送ベルト１１と、搬送ベルト１１の内面側から支持する中空状のフレーム１２と、フレーム１２の中空部に挿入して２つのフレーム１２を連結するジョイント１３と、フレーム１２の一端に連結されると共に搬送ベルト１１を一定方向に駆動させるドライブプーリ（図示せず）と連絡路５が接続可能な接続口（図示せず）を備える第１のプーリーユニット１４と、フレーム１２の他端に連結されリターンプーリ（図示せず）を備える第２のプーリーユニット１５と、ローラ（図示せず）の位置を調整することにより搬送ベルト１１に対して所定の張力を与えるテンショナー１６と、を備える。この場合、搬送ベルト１１及びフレーム１２が、メダルを左方向に搬送可能な補給ライン１０の搬送路１０Ａを形成している。
【００２３】
また、図３〜６で示すように、補給ライン１０は樹脂製のカバーユニット１８を備える。図４，６で示すように、カバーユニット１８はフレーム１２の両側に配置される側壁１７を備え、側壁１７は、分配装置３０が搬送ベルト１１上から押し出すメダルを排出する排出口１７ｄを備える第１の側壁１７Ａと、第１の側壁１７Ａの左方向に連設され、第１の側壁１７Ａより高さが低い第２の側壁１７Ｂと、を備える。この場合、図６で示すように、第２の側壁１７Ｂは、上端の間が上片１７ｇにより連結され、下方に開口したチャンネル状の形状にて形成される。また、第２の側壁１７Ｂは、外側の下方に係止凸部１７ｃが形成されている。また、第１の側壁１７Ａの間には、上部に形成された開口を脱着可能に閉塞する天井板１８ｄが配置されている。
【００２４】
この場合、図６に示すように、排出口１７ｄは左右方向に長い横長の駆形状に形成されており、排出口１７ｄの上部には一対の軸受部１７ｅが形成されている。また、排出口１７ｄを開閉する開閉扉１７ｆが、軸受部１７ｅで支承された軸により回動自在に支持されている。開閉扉１７ｆは、搬送路１０Ａ上を搬送されるメダルが、分配装置３０により案内されていないにも関わらず排出口１７ｄから落下するのを防止することができる。後述するように、分配装置３０は６個取り付けられ、搬送ベルト１１の右側に６、左側に６の計１２の分配位置があり、その位置のそれぞれに排出口１７ｄが設けられている。
【００２５】
上記のように構成されるカバーユニット１８は、図３，５で示すように、搬送路１０Ａ上に６個取り付けられている。また、第１のプーリーユニット１４とカバーユニット１８の間、各カバーユニット１８の間、カバーユニット１８と第２のプーリーユニット１５の間には、搬送路１０Ａ上のメダルが落下しないように搬送路１０Ａを覆うカバー材１９が取り付けられている（図４参照）。
【００２６】
また、図３〜６で示すように、補給ライン１０は分配装置３０を備える。分配装置３０は、搬送路１０Ａ上を搬送されるメダルを第１の側壁１７Ａに形成された排出口１７ｄに案内する装置であり、図７〜９で示すように、基片３１ａと一対の脚片３１ｂと備えるケース３１と、搬送路１０Ａを斜めに塞き止めることができる遮蔽板３２Ａ，３３Ａを備える一対のフラップ３２，３３と、フラップ３２，３３の一端を常時上方に付勢する付勢手段であるバネ材３６と、フラップ３２，３３の一端を降下させる駆動部であるソレノイド３４と、ソレノイド３４の作動体３４ａとフラップ３２，３３を連結する連結部材３５と、により主に構成される。
【００２７】
ケース３１は、図７(ａ），９で示すように、搬送路１０Ａの上方に配置される基片３１ａと、基片３１ａの両端から下方に設けられる一対の脚片３１ｂにより、下方に開口したチャンネル状の形状をした樹脂製の部材である。図７（ｂ）で示すように、脚片３１ｂの上部には、後述するフラップ３２，３３の他端を軸支する軸３１ｄが挿通可能な孔である軸受部３１ｃが形成されている。また、軸受部３１ｃの右側には、フラップ３２の側面から側方に突設される固定部３２ｄ，３３ｄが、上下方向に移動した際に接触しないように上下方向に長い長孔３１ｅが形成されている（図７（ｂ），１１（ａ），１１（ｂ）参照）。
【００２８】
この場合、図６に示すように、脚片３１ｂの下部の内側には、第２の側壁１７Ｂに形成される係止凸部１７ｃに着脱可能に係止する凹部３１ｆを備える。ケース３１は、下方に開口したチャンネル状であり、両側の脚片３１ｂに形成された凹部３１ｆを、それぞれ係止凸部１７ｃに係止させることより、ケース３１は、第２の側壁１７Ｂの外面に着脱可能に係止することができる。また、図７に示すように、凹部３１ｆの外側には、後述するソレノイド３４をねじ留めして収納可能な収納部３１ｇが形成されている。このようにソレノイド３４を、脚片３１ｂに取り付けることよって、遊技機島１の高さを低く抑えることができ、明るく見通しの良い遊技場を形成することができる。
【００２９】
フラップ３２は、図７〜１１で示すように、略長方形状の平板状のフラップ本体３２ｂと、フラップ本体３２ｂの一端に形成され、フラップ本体３２ｂから直交する斜め背面下方向に延設される遮蔽板３２Ａと、フラップ本体３２ｂの他端に形成され、棒状の軸３１ｄが挿入可能な軸挿入部３２ｃと、フラップ本体３２ｂの側面に形成され、上述した長孔３１ｅを貫通して配置される固定部３２ｄと（図１０参照）、を備える。この場合、図４で示すように、遮蔽板３２Ａは、搬送路１０Ａを斜めに塞き止めることができる底辺の長さを備える。
【００３０】
この実施形態においては、図７〜９で示すように、一対のフラップ３２，３３を備える。背面側のフラップ３３は、正面側のフラップ３２と同様に、フラップ本体３３ｂと軸挿入部３３ｃと固定部３３ｄとで構成されるが、遮蔽板３３Ａは、平板状のフラップ本体３３ｂから直交する斜め正面下方向に延設される。この場合、フラップ３２の遮蔽板３２Ａは、下降した際、ラップ３３の遮蔽板３３Ａとの接触を避けるように、上辺に切欠部３２ｄを設けている。一方、フラップ３３の遮蔽板３３Ａは、下降した際、ラップ３２の遮蔽板３２Ａとの接触を避けるように、下辺に切欠部３３ｄを設けている。なお、この実施形態においては、一対のフラップ３２，３３を備えたが、本発明においてフラップは一本であってもよい。
【００３１】
上記のように構成されるフラップ３２，３３は、図７（ａ），８，１１で示すように、フラップ３２を正面側、フラップ３３を背面側に配置して軸挿入部３２ｃ，３３ｃに挿通された金属製の軸３１ｄにより軸支され、軸３１ｄが脚片３１ｂに設けられた軸受部３１ｃで支承されることにより、ケース３１に対して回動自在に取り付けられている。
【００３２】
図４で示すように、フラップ３２が回動して遮蔽板３２Ａが下降して搬送路１０Ａを斜めに塞き止める際は、正面側の排出口１７ｄにメダルを案内することができる。一方、フラップ３３が回動して遮蔽板３３Ａが下降して搬送路１０Ａを斜めに塞き止める際は、背面側の排出口１７ｄにメダルを案内することができる。このように、分配装置３０は、搬送方向と直交する正面側及び背面側の両方向にメダルを案内するように構成されている。
【００３３】
ソレノイド３４は、図示しない電源に電気的に接続されており、通電に伴い棒状に突き出た作動体３４ａを下方へ引き下げることができる。また、ソレノイド３４は、制御部１００と電気的に接続されており、制御部１００は、スロットマシン２又はメダル貸出機３に備えられたタンク（図示せず）に付属するメダルの貯留量を計測するセンサ（図示せず）から送信されるメダルの規定量以下であることを検知した信号を受け、ソレノイド３４に対し作動体３４ａを下方へ引き下げる信号を送信し、ソレノイド３４を制御する。このように構成されるソレノイド３４は、正面側及び背面側の脚片３１ｂの収納部３１ｇに一つずつ合計２個配置されている。
【００３４】
連結部材３５は、ソレノイド３４の作動体３４ａとフラップ３２，３３を連結する金属製の部材であって、図１０，１２で示すように、略矩形板状の基部３５ａと、基部３５ａの背面側の辺から上側に立設される上部片３５ｂと、基部３５ａの正面側の辺から下側に立設される下部片３５ｃとを備える。この場合、上部片３５ｂは、長孔３１ｅを貫通した固定部３２ｄにねじ留めして連結され、下部片３５ｃは、下部片３５ｃと作動体３４ａを貫通する棒材により連結されている。また、基部３５ａの中心に突起片３５ｄが形成されるように開口されており（図１０参照）、突起片３５ｄには後述するバネ材３６の他端が係止される。
【００３５】
バネ材３６は、金属製のバネであって、図７〜１２で示すように、一端がケース３１の脚部３１ｂの上端付近に形成される凸部３１ｈに係止して連結され、他端が連結部材３５の突起片３５ｄに係止して連結されている。バネ材３６は、常時連結部材３５を上方に付勢し、連結部材３５に連結されたフラップ３２，３３及びソレノイド３４の作動体３４ａは常時上方に付勢されている。
【００３６】
上記のように構成される分配装置３０により分配されカバーユニット１８の排出口１７ｄから排出されたメダルは、図４に示すように、補給シュート２０に落下して受け入れられた後、この発明における配管である蛇腹管４０を通過しスロットマシン２，メダル貸出機３に搬送される。
【００３７】
次に、上記のように構成される分配装置３０の取付手順について説明する。作業者は、スロットマシン２又はメダル貸出機３と接続される蛇腹管４０の位置を確認し、補給ライン１０の搬送路１０Ａ上の分配位置を決定する。次いで、作業者は、図６で示すように、分配位置に排出口１７ｄが配置されるように、カバーユニット１８の側壁１７の下部をフレーム１２の側面にねじ留めする。
【００３８】
次いで、作業者は、カバーユニット１８に分配装置３０を取り付ける。図６で示すように、一対の第２の側壁１７Ｂと上辺により、チャンネル状に形成された部位に、下方に開口したチャンネル状のケース３１を嵌合させる。その際、正面側と背面側の脚片３１ｂに形成された凹部３１ｆを、それぞれ第２の側壁１７Ｂに形成された係止凸部１７ｃに係止させることより、ケース３１は、第２の側壁１７Ｂの外面に係止する。また、分配装置３０のフラップ３２，３３は一対の第１の側壁１７Ａに挟まれた空間に配置する。次いで、作業者は、天井板１８ｄを上方から降下させて、正面側と背面側の第１の側壁１７Ａの間に形成された開口を塞ぐ。また、作業者は、分配装置３０に設けられた図示しない配線を繋いで制御部１００及び電源に電気的に繋ぐ。
【００３９】
作業者が分配装置３０の取り付けが完了し、遊技媒体補給装置４が稼働している状況について説明する。制御部１００は、スロットマシン２又はメダル貸出機３に備えられたタンクに付属するメダルの貯留量を計測するセンサから送信されるメダルの規定量以下であることを検知した信号を受けていない場合、ソレノイド３４に対し作動体３４ａを下方へ引き下げる信号を送信しない。この場合、図７（ａ），１１（ａ）で示すように、分配装置３０のバネ材３６は、常時連結部材３５を上方に付勢しているため、連結部材３５に連結されたフラップ３２，３３及びソレノイド３４の作動体３４ａは常時上方に付勢されている。このため、フラップ３２，３３の遮蔽板３２Ａ，３３Ａは上方に持ち上がった状態で維持され、搬送路１０Ａ上を搬送されるメダルは、フラップ３２，３３の下方を通過する。
【００４０】
一方、制御部１００は、例えば正面側のスロットマシン２に備えられたタンクに付属するメダルの貯留量を計測するセンサから送信されるメダルの規定量以下であることを検知した信号を受けた場合、正面側のソレノイド３４に対し作動体３４ａを下方へ引き下げる信号を送信する。制御部１００からの指令を受けたソレノイド３４は、図８，１１（ｂ）で示すように、バネ材３６の上方への付勢力に抗って、作動体３４ａを下方へ引き下げる。作動体３４ａと連結された連結部材３５は引き下げられ、更に連結部材３５と連結されたフラップ３２の固定部３２ｄが長孔３１ｅ内を下方に引き下げられると、フラップ３２が回動すると共にフラップ３２の一端が引き下げられる。フラップ３２の一端が引き下げられると、フラップ３２の一端に設けられた遮蔽板３２Ａは、搬送路１０Ａを斜めに塞き止め、搬送路１０Ａ上を搬送されるメダルを正面側の排出口１７ｄに案内する。
【００４１】
そして、ソレノイド３４は、制御部１００からの解除信号が送信されるまで作動体３４ａを引き下げ続ける。その結果、分配装置３０は、フラップ３２の一端に設けられた遮蔽板３２Ａが搬送路１０Ａを斜めに塞き止め続け、搬送路１０Ａ上を搬送されるメダルを背面側の排出口１７ｄに案内し続ける。分配装置３０は、フラップ３２の一端が降下して搬送路１０Ａを遮蔽板３２Ａにより斜めに塞き止める際に、ソレノイド３４がフラップ３２の一端に対し降下させる方向の力を加えているため、遮蔽板３２Ａが、メダルや搬送路１０Ａとの衝突に起因して跳ね上がったり又は持ち上がったりして搬送路１０Ａと遮蔽板３２Ａとの間に隙間を生じさることがなく、搬送される全てのメダルを正確に排出口１７ｄに案内をすることができる。
【００４２】
このように本発明の遊技媒体補給装置４によれば、分配装置３０は搬送される全てのメダルを正確に排出口１７ｄに案内をすることができるので、スロットマシン２及びメダル貸出機３にメダルを正確に補給することができる。
【００４３】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【００４４】
２  スロットマシン（遊技媒体使用機）
３  メダル貸出機（遊技媒体使用機）
４  遊技媒体補給装置
１０  補給ライン
１０Ａ  搬送路
１７  側壁
１７ｄ  排出口
２０  補給シュート
３０  分配装置
３１  ケース
３１ａ  基片
３１ｂ  脚片
３１ｃ  軸受部
３１ｄ  軸
３２，３３  フラップ
３２Ａ，３３Ａ  遮蔽板
３４  ソレノイド（駆動部）
３４ａ  作動体
３５  連結部材
３６  バネ材
４０  蛇腹管（配管）
１００  制御部
【図１】
0006636751.tif 000002
【図２】
0006636751.tif 000003
【図３】
0006636751.tif 000004
【図４】
0006636751.tif 000005
【図５】
0006636751.tif 000006
【図６】
0006636751.tif 000007
【図７】
0006636751.tif 000008
【図８】
0006636751.tif 000009
【図９】
0006636751.tif 000010
【図１０】
0006636751.tif 000011
【図１１】
0006636751.tif 000012
【図１２】
0006636751.tif 000013